(57)【要約】【課題】照明制御システムにおいて、一の照明制御システム内に複数の無線受信器が存在する場合において、設定器の画面に表示された製造番号に該当する無線受信器を容易に視認できるようにする。【解決手段】照明制御システム内の設定器９は、電波到達範囲内に存在する無線受信器の製造番号を表示する液晶表示部９８と、操作入力部９７を用いて一の製造番号が選択され、当該製造番号の無線受信器をサーチするサーチ機能が実行されると、サーチ用信号を無線受信器に送信するメイン処理部９０とを備える。無線受信器は、サーチ用信号に含まれる製造番号が、自身の製造番号と一致する場合には、発光部を点灯又は点滅させる演算部を備える。この構成により、一の照明制御システム内に複数の無線受信器が存在する場合においても、設定器９の液晶表示部９８に表示された製造番号に該当する無線受信器を容易に視認できるようになる。【選択図】図４
2014089924.tif 000002
【特許請求の範囲】
【請求項１】
検知エリア内の人体から放射される熱線を検知する熱線センサを有して照明負荷の動作制御をする無線発信器と、前記無線発信器と無線通信される無線受信器と、信号線を介して前記無線受信器と接続されて制御データを送受信する伝送ユニットと、前記無線発信器、前記無線受信器及び前記伝送ユニットに設定値を設定する設定器と、を備える照明制御システムにおいて、
前記無線受信器には、製造時においてユニークな製造番号が割り振られ、当該無線受信器は、一の前記伝送ユニットに前記信号線を介して複数接続でき、
前記設定器は、
電波到達範囲内に存在する前記無線受信器から、前記製造番号を受信する無線信号処理部と、
前記製造番号を表示する表示部と、
前記表示部に表示された内容に基づいて前記設定値を設定する操作入力部と、
前記操作入力部を用いて一の製造番号が選択され、当該製造番号の無線受信器をサーチするサーチ機能が実行されると、サーチ用信号を前記無線受信器に送信するメイン処理部と、を備え、
前記無線受信器は、
発光部と、
前記サーチ用信号を受信する無線送受信部と、
前記サーチ用信号に含まれる製造番号が、自身の製造番号と一致する場合には、前記発光部を点灯又は点滅させる演算部と、を備えることを特徴とする照明制御システム。
【請求項２】
一の前記伝送ユニットに前記信号線を介して複数接続された無線受信器のうち、一の無線受信器はマスター機、その他の無線受信器はスレーブ機となり、
前記無線受信器の演算部は、前記マスター機の無線受信器又は前記スレーブ機の無線受信器で、前記発光部の点灯又は点滅状態を変更する、ことを特徴とする請求項１記載の照明制御システム。
【請求項３】
前記無線発信器には、製造時においてユニークな製造番号が割り振られ、一の前記無線受信器には、無線通信を行う対照となる複数の無線発信器の前記製造番号が登録され、
前記設定器の表示部には、一の前記無線受信器に登録された複数の無線発信器の製造番号が表示され、
前記メイン処理部は、前記操作入力部を用いて一の無線発信器の製造番号が選択され、当該製造番号の無線発信器をサーチするサーチ機能が実行されると、無線発信器サーチ用信号を前記無線受信器に送信し、
前記無線受信器の無線送受信部は、前記無線発信器サーチ用信号を受信し、
前記メイン処理部は、サーチの対称となる無線発信器の製造番号を含む発光指令信号を前記無線発信器に送信し、
前記無線発信器は、
前記発光指令信号を受信する送受信部と、
第二発光部と、
前記発光指令信号に含まれる製造番号が、自身の製造番号と一致する場合には、前記第二発光部を点灯又は点滅させる第二演算部と、を備えることを特徴とする請求項１又は２に記載の照明制御システム。
【請求項４】
前記設定器のメイン処理部は、さらに、前記操作入力部を用いて、一の前記無線受信器に登録された全ての無線発信器をサーチするオールサーチ機能が実行されると、オールサーチ用信号を前記無線受信器に送信し、
前記無線受信器の無線送受信部は、前記オールサーチ用信号を受信し、
前記演算部は、当該無線受信器に登録されている全ての無線発信器の製造番号を含む全発光指令を前記無線発信器に送信し、
前記無線発信器の送受信部は、前記全発光指令を受信し、
前記第二演算部は、前記全発光指令に含まれる製造番号が、自身の製造番号と一致する場合には、前記第二発光部を点灯又は点滅させる、ことを特徴とする請求項３記載の照明制御システム。
【発明の詳細な説明】
【技術分野】
【０００１】
本発明は、熱線センサを備える無線発信器、及び無線発信器と無線接続された無線受信器を用いて照明器具を制御する照明制御システムに関する。
【背景技術】
【０００２】
従来より、住宅やビルディング内において、明るさセンサや人感センサといったセンサ類と連携して複数の照明器具のＯＮ／ＯＦＦや調光状態を個別に、又は一括して制御する照明制御システムが導入されている。この照明制御システムでは、外光の明るさや人の存在に応じて照明器具のＯＮ／ＯＦＦを適切に制御できるため省エネルギー化を図ることができる。
【０００３】
また、高天井の倉庫や、ラックなどの障害物が多くある空間でも正確な人検知ができるように、複数の小型の熱線センサ付き無線発信器をレイアウトフリーに設置した照明制御システムも知られている。
【０００４】
このような照明制御システムの一例を図８に示す。この照明制御システム１００は、熱線センサを有する複数の無線発信器１０１、これら無線発信器１０１と無線通信する無線受信器１０２、及び無線発信器１０１や無線受信器１０２などに各種設定値を設定する設定器１０３を備える。さらに、分電盤内には伝送ユニット１０４、リレー制御用端末器１０５、及びリモコンリレー１０６を備え、リモコンリレー１０６には照明器具１０７が接続される。伝送ユニット１０４は、２線式の信号線を介して無線受信器１０２、リレー制御用端末器１０５及びスイッチ１０８と接続されている。
【０００５】
設定器１０３は、例えば、有線を用いた伝送ユニット１０４へのアドレス設定、無線を用いた無線発信器１０１へのアドレス設定、無線を用いた無線受信器１０２への周波数設定など各種設定値の設定に用いられる。
【０００６】
次に、この照明制御システム１００の人検知時の動作を説明する。最初に、無線発信器１０１は、熱線センサからの入力が閾値を超えて人検知された場合、所定アドレスの照明器具１０７をＯＮ制御するためのＯＮ通知を無線受信器１０２に送信する。
【０００７】
無線受信器７は、電波到達エリア内にあり、登録関係にある複数の無線発信器１０１のいずれか１つからＯＮ通知を受信した場合、ＯＮ制御要求を含む制御データを伝送ユニット１０４に送信する。
【０００８】
伝送ユニット１０４は、無線受信器１０２からのＯＮ制御要求に基づいて制御対象となる照明器具１０７や制御状態を特定する。また、伝送ユニット１０４は、制御対象となる照明器具１０７と対応するリレー制御用端末器１０５に対して、照明器具１０７のアドレス情報と、そのＯＮ制御状態とを制御指令信号として送信する。
【０００９】
リレー制御用端末器１０５は、伝送ユニット１０４からの伝送信号に基づいて、自己に接続するリモコンリレー１０６のうち、制御対象となる照明器具１０７に対応するリモコンリレー１０６に対してＯＮ制御信号を送る。このことにより、リモコンリレー１０６の状態をＯＮ制御する。また、スイッチ１０８は、伝送ユニット１０４から制御信号を受信し、ＯＮ制御された照明器具１０７に対応するボタン部のＬＥＤ表示をＯＦＦ表示（緑）からＯＮ表示（赤）に変更する。
【００１０】
ところで、照明制御システム内の各機器に有線を介して接続され、データ設定の作業性を向上したデータ設定器も開示されている（例えば、特許文献１参照）。
【先行技術文献】
【特許文献】
【００１１】
【特許文献１】特開平１１−２３３２７５号公報
【発明の概要】
【発明が解決しようとする課題】
【００１２】
しかしながら、上記従来の照明制御システム１００において、各無線受信器１０２には、製造時においてグローバルユニークな製造番号が割り振られており、１台の伝送ユニット１０４に、信号線を介して例えば最大４０台まで無線受信器１０２が接続される。また、各無線発信器１０１にも、製造時においてグローバルユニークな製造番号が割り振られており、１台の無線受信器１０２に、例えば最大４０台まで無線発信器１０１を登録できる。このため、一の照明制御システム１００内に複数の無線受信器１０２及び無線発信器１０１が存在する。
【００１３】
そして、ユーザが設定器１０３を用いて無線受信器１０２や無線発信器１０１に各種設定値を設定する際、表示部１０３ａに表示された製造番号が、どの無線受信器１０２や、どの無線発信器１０１に該当しているのかを把握できない。この場合、ユーザが直接、設定器１０３の表示部１０３ａに表示されている製造番号と、無線受信器１０２や無線発信器１０１にシールなどで記載された製造番号とを一つずつ直接見比べて確認する作業を要する。特に無線受信器１０２や無線発信器１０１が高天井などに既に設置されている場合には、この製造番号の確認作業には足場などを設置することが必要となり、より一層の手間を要するという問題がある。
【００１４】
本発明は、上記課題に鑑みてなされたものであり、一の照明制御システム内に複数の無線受信器及び無線発信器が存在する場合において、設定器の画面に表示された製造番号に該当する無線受信器又は無線発信器を容易に視認できるようにした照明制御システムを提供することを目的とする。
【課題を解決するための手段】
【００１５】
上記目的を達成するために本発明は、検知エリア内の人体から放射される熱線を検知する熱線センサを有して照明負荷の動作制御をする無線発信器と、前記無線発信器と無線通信される無線受信器と、信号線を介して前記無線受信器と接続されて制御データを送受信する伝送ユニットと、前記無線発信器、前記無線受信器及び前記伝送ユニットに設定値を設定する設定器と、を備える照明制御システムにおいて、前記無線受信器には、製造時においてユニークな製造番号が割り振られ、当該無線受信器は、一の前記伝送ユニットに前記信号線を介して複数接続でき、前記設定器は、電波到達範囲内に存在する前記無線受信器から、前記製造番号を受信する無線信号処理部と、前記製造番号を表示する表示部と、前記表示部に表示された内容に基づいて前記設定値を設定する操作入力部と、前記操作入力部を用いて一の製造番号が選択され、当該製造番号の無線受信器をサーチするサーチ機能が実行されると、サーチ用信号を前記無線受信器に送信するメイン処理部と、を備え、前記無線受信器は、発光部と、前記サーチ用信号を受信する無線送受信部と、前記サーチ用信号に含まれる製造番号が、自身の製造番号と一致する場合には、前記発光部を点灯又は点滅させる演算部と、を備えることを特徴とする。
【００１６】
この照明制御システムにおいて、一の前記伝送ユニットに前記信号線を介して複数接続された無線受信器のうち、一の無線受信器はマスター機、その他の無線受信器はスレーブ機となり、前記無線受信器の演算部は、前記マスター機の無線受信器又は前記スレーブ機の無線受信器で、前記発光部の点灯又は点滅状態を変更することが好ましい。
【００１７】
この照明制御システムにおいて、前記無線発信器には、製造時においてユニークな製造番号が割り振られ、一の前記無線受信器には、無線通信を行う対照となる複数の無線発信器の前記製造番号が登録され、前記設定器の表示部には、一の前記無線受信器に登録された複数の無線発信器の製造番号が表示され、前記メイン処理部は、前記操作入力部を用いて一の無線発信器の製造番号が選択され、当該製造番号の無線発信器をサーチするサーチ機能が実行されると、無線発信器サーチ用信号を前記無線受信器に送信し、前記無線受信器の無線送受信部は、前記無線発信器サーチ用信号を受信し、前記メイン処理部は、サーチの対称となる無線発信器の製造番号を含む発光指令信号を前記無線発信器に送信し、前記無線発信器は、前記発光指令信号を受信する送受信部と、第二発光部と、前記発光指令信号に含まれる製造番号が、自身の製造番号と一致する場合には、前記第二発光部を点灯又は点滅させる第二演算部とを備えることが好ましい。
【００１８】
この照明制御システムにおいて、前記設定器のメイン処理部は、さらに、前記操作入力部を用いて、一の前記無線受信器に登録された全ての無線発信器をサーチするオールサーチ機能が実行されると、オールサーチ用信号を前記無線受信器に送信し、前記無線受信器の無線送受信部は、前記オールサーチ用信号を受信し、前記演算部は、当該無線受信器に登録されている全ての無線発信器の製造番号を含む全発光指令を前記無線発信器に送信し、前記無線発信器の送受信部は、前記全発光指令を受信し、前記第二演算部は、前記全発光指令に含まれる製造番号が、自身の製造番号と一致する場合には、前記第二発光部を点灯又は点滅させることが好ましい。
【発明の効果】
【００１９】
本発明に係る照明制御システムによれば、設定器の画面に表示された製造番号のサーチ機能を実行すると、当該製造番号に対応する無線受信器又は無線発信器の発光部が発光する。このため、一の照明制御システム内に複数の無線受信器及び無線発信器が存在する場合において、設定器の画面に表示された製造番号に該当する無線受信器又は無線発信器を容易に視認できる。
【図面の簡単な説明】
【００２０】
【図１】本発明の実施の形態に係る照明制御システムのシステム構成図である。
【図２】同上照明制御システムに備わる無線発信器の機能ブロック図である。
【図３】同上照明制御システムに備わる無線受信器の機能ブロック図である。
【図４】同上照明制御システムに備わる設定器の機能ブロック図である。
【図５】（ａ）同上設定器の外観図、（ｂ）同上設定器の液晶表示例を示す図、（ｃ）同上設定器においてサーチ機能を実行した場合の無線受信器の点灯状態を示す図である。
【図６】（ａ）本発明の実施の形態２に係る照明制御システムに備わる設定器の液晶表示例を示す図、（ｂ）同上設定器においてサーチ機能を実行した場合の無線発信器の点灯状態を示す図である。
【図７】（ａ）同上実施の形態２の変形例に係る照明制御システムに備わる設定器の液晶表示例を示す図、（ｂ）同上設定器においてサーチ機能を実行した場合の無線発信器の点灯状態を示す図である。
【図８】従来の照明制御システムのシステム構成図である。
【発明を実施するための形態】
【００２１】
本発明の実施の形態に係る照明制御システムについて図面を参照して説明する。
【００２２】
（実施の形態１）
図１は、本実施の形態１に係る照明制御システム１の構成を示す。この照明制御システム１は、伝送ユニット２と、リレー制御用端末器３と、リモコンリレー４と、リモコントランス５と、リモコンスイッチ６と、無線受信器７ａ〜７ｃ（総称として無線受信器７）と、無線発信器８と、設定器９と、照明器具１０とを備えている。
【００２３】
リレー制御用端末器３、リモコンスイッチ６、及び無線受信器７は、２線式の信号線を介して伝送ユニット２と相互に接続されており、伝送ユニット２との情報のやり取りは、信号線に多重伝送方式で伝送される伝送信号を通して行われる。この照明制御システム１では、無線受信器７と無線発信器８との間で無線通信を行い、照明器具１０のオン／オフ状態や室内の照度を自動制御する。
【００２４】
伝送ユニット２は、リモコンスイッチ６や無線受信器７からの伝送信号に基づいて、伝送信号に含まれるアドレス情報から制御対象となる照明器具１０を特定すると共に、照明器具１０に対する制御状態を特定する。そして、伝送ユニット２は、制御対象となる照明器具１０と対応するリレー制御用端末器３に対して、照明器具１０のアドレス情報と、その制御状態（ＯＮ、ＯＦＦや調光レベルなど）とを制御指令信号として送信する。
【００２５】
照明制御システム１内に存在する照明器具１０は、負荷アドレスによって一意に特定することができる。具体的には、リレー制御用端末器３には、負荷チャネル（Ｃｈ）と呼ばれる固有の識別子が割り当てられており、リレー制御用端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００２６】
リレー制御用端末器３は、リレーの制御状態に応じて照明器具１０の状態を制御する負荷制御端末器としての機能を担っている。リレー制御用端末器３は、伝送ユニット２からの伝送信号に基づいて、自己に接続するリモコンリレー４のうち、制御対象となる照明器具１０に対応するリモコンリレー４に対して制御信号を送ることにより、リモコンリレー４の状態を制御する。リモコンリレー４の個々のリレーは、リレー制御用端末器３に制御されて、ブレーカ電源（ＡＣ１００又は２００Ｖ）などからの商用交流をオン／オフすることで、照明器具１０をオン状態またはオフ状態にする。
【００２７】
リモコントランス５は、リレー制御用端末器３、及びリモコンリレー４に駆動用の電力を供給する。
【００２８】
リモコンスイッチ６は、照明器具１０を制御するための制御指令を出力するための入力端末器としての機能を担っている。具体的には、リモコンスイッチ６は、例えば室内などの任意の壁面に設置されており、照明器具１０を利用するユーザによってプッシュ操作が可能な端末器である。リモコンスイッチ６は、操作スイッチのいずれかが操作されるのに応じて、その操作スイッチに関連付けられているアドレス情報と、操作スイッチの操作状態とを制御指令として伝送ユニット２に送信する。
【００２９】
無線受信器７ａ〜７ｃは、天井面に埋め込まれ、電波到達エリアＡ〜Ｃ内の複数の無線発信器８と小電力の無線で制御情報の送受信を行うと共に、２線式の信号線と接続して伝送ユニット２と制御データの送受信を行う。また、この無線受信器７には、製造時においてグローバルユニークな製造番号が付与されており、また、例えば一の照明制御システム１内の１台の伝送ユニット２に対して、最大４０台まで無線受信器７を登録できる。
【００３０】
設定器９は、無線受信器７、無線発信器８及び伝送ユニット２に無線又は有線を介して照明制御システム１に用いられる各種設定値を設定する。
【００３１】
ここで、設定器９を用いて無線受信器７に登録する設定値に関して説明する。無線受信器７には、設定値として、上述した２線式信号用の負荷アドレス（Ｃｈ−Ｎｍ）であり、かつ未使用の番号（例えば５−１）である受信器アドレスが設定される。この受信器アドレスは、伝送ユニット２に接続される全ての無線受信器７において同一の番号が登録される。また、無線受信器７には、受信器アドレスとは別の受信器番号も設定される。受信器番号は、例えば、１つの照明制御システム１に無線受信器７を４０台接続するならば、１〜４０の通し番号が設定される。さらに、無線受信器７には、無線発信器８と所定周波数帯域で通信を行うために割り当てる周波数ＣＨ（例えば１〜４ＣＨ）も設定される。なお、受信器番号の代わりにエリア番号（例えば１〜１０）を設定する場合もある。
【００３２】
設定器９は、また、電波到達範囲内（例えば１０ｍ）に存在する複数の無線受信器７の製造番号を、無線通信を用いて一度に受信する機能を有している。ユーザは、設定器９の画面上に表示された無線受信器７の製造番号から一の製造番号を選択した後、設定器９に対して、当該無線受信器７と無線通信を行う対照となる無線発信器８の製造番号を登録する。この際、作業者が、設定器９に表示された製造番号がどの無線発信器８又はどの無線受信器７を指しているのか把握できないとき、後述するサーチ機能を利用することで、無線発信器８又は無線受信器７を視認できる。
【００３３】
そして、設定器９に複数の無線発信器８の製造番号が登録されると、次に、ユーザがこの設定器９になされた登録を無線受信器７に送信することで、無線受信器７には、登録関係となる電波到達エリア内の複数の無線発信器８の製造番号が設定登録される。
【００３４】
無線発信器８は、レイアウトフリーに壁面に複数設置され、検知エリア周辺の照度を検知する照度センサや、検知エリア内の人体から放射される熱線を検知する熱線センサなどを備える。また、無線発信器８の背面側には、ユーザ操作されるアドレス設定選択つまみ、動作保持時間設定用つまみなどが設けられている。
【００３５】
無線発信器８には、製造時においてグローバルユニークな製造番号が付与されており、また、例えば１台の無線受信器７に対して、無線を介して最大４０台まで無線発信器８を登録することが可能である。
【００３６】
また、無線発信器８には、アドレス設定として、設定器９を用いて制御対象とする照明器具１０の制御アドレスが登録される。この制御アドレスとして、個別アドレス、パターンアドレスやグループアドレスなどが設定される。なお、個別アドレスは、個別制御の対象となる照明器具１０を特定するための情報であり、負荷アドレス（個別「０−１」など）に該当する。グループアドレスは、複数の照明器具１０を同一の制御状態へと一括的に制御するためグループ制御の対象となるグループを特定するための情報であり、予め設定された個々のグループに付与された番号（「Ｇ−１」など）がこれに該当する。パターンアドレスは、複数の照明器具１０を、それぞれの照明器具１０に予め定められた所定の制御状態へと一括的に制御するパターンを特定するための情報であり、予め設定された個々のパターンに付与された番号（「Ｐ−１」など）である。
【００３７】
無線発信器８が有する熱線センサは、人体から放射される熱線を検出して検知エリア内の人の存否に応じて出力する人体検出信号を監視する。無線発信器８は、検知エリア内の人の動きが検出されたときに照明器具１０を自動でのＯＮ／ＯＦＦ制御や自動調光させるための制御要求を無線受信器７に送信可能とする。この制御要求には無線発信器８の製造番号が付与されており、無線受信器７は内部メモリを参照し、制御対象となる照明器具１０の制御アドレスを特定する。そして、無線受信器７は、その制御アドレスをＯＮ／ＯＦＦなどの制御情報と共に制御データとし、伝送ユニット２に信号線を介して送信する。
【００３８】
また、無線発信器８は、熱線センサによって検知エリア内で人検出されてから所定の動作保持時間経過後に照明器具１０を消灯するためのＯＦＦ制御要求を無線受信器７に送信する。
【００３９】
無線発信器８が有する照度センサは、検知エリアの明るさを検知（照度検知範囲５〜１０００ルクス等）する。無線発信器８は、照度センサにより検知された照度に基づいて照明器具１０を制御するための制御情報を無線受信器７に送信可能とする。この照度センサを用いた照明制御により、日没後は点灯するなど外光にあわせて平均照度を一定に保って調光でき、照明環境の快適性を保ちながら省エネを図ることができる。また、無線発信器８が熱線センサに加えて照度センサをも備えることで、暗くなり且つ人がいる時だけの点灯制御などが可能となる。
【００４０】
次に、本照明制御システム１に備わる無線発信器８の機能構成に関して図２を参照して説明する。無線発信器８は、ＣＰＵ（第二演算部）８０、電源部８１、ブザー８２、サブクロック部８３、熱線検知部８４、ＬＥＤ表示部（第二発光部）８５、アドレス切替部８６、無線送受信部８７、照度測定部８８、及び操作入力部８９を備える。
【００４１】
電源部８１は、特定小電力無線に対応し、専用のリチウムイオン二次電池から内部の電源を供給する。ブザー８２は、確認音や警告音を発音し、サブクロック部８３は、水晶振動子などによりＣＰＵ８０の動作周波数を発生させる。
【００４２】
熱線検知部８４は、熱線の変化を検知する焦電素子のような熱線センサを具備し、熱線センサの出力を増幅してＣＰＵ８０に出力する。ＣＰＵ８０は、熱線検知部８４の出力と、保持された所定の閾値との高低を比較することによって、検知エリア内の人の存否を判定している。また、ＣＰＵ８０は、所定プログラムに基づいて、無線受信器７との間で行う通信情報を制御する。
【００４３】
ＬＥＤ表示部８５は、熱線センサにおいて人を検知した際や、設定器９を用いたアドレス設定時、無線発信器８のサーチ機能の実行時や電源不足時などにおいて点滅や発光する。無線発信器８は、操作入力部８９によってユーザ入力された設定項目（例えば設定照度値、動作保持時間やアドレスデータ）の値や、内部的にＯＮ通知をしたＯＮ状態又はＯＦＦ通知をしたＯＦＦ状態の別を保持する。無線送受信部８７は、専用のＡＳＩＣがアンテナに接続されて構成され、無線受信器７との間で、ワイヤレスで制御情報の送受信を実現する。
【００４４】
照度測定部８８は、周囲の明るさを検出するＣｄＳ、フォトダイオード、フォトトランジスタのような照度センサを有し、照度センサの出力を増幅してＣＰＵ８０に出力する。ＣＰＵ８０では、照度測定部８８の出力と、保持された所定の明るさレベル（設定レベル）との明暗を比較する。
【００４５】
無線発信器８の背面に設けられたツマミ部である操作入力部８９には、明るさ設定部８９ａ、動作保持時間設定部８９ｂ、及びアドレス登録設定部８９ｃが備えられる。明るさ設定部８９ａは、照明器具１０の制御のための照度設定値を変更するための切替スイッチである。動作保持時間設定部８９ｂは、照明器具１０の点灯を保持する時間を変更するための切替スイッチであり、３０秒、３分、１０分、３０分などから動作保持時間を選択する。アドレス登録設定部８９ｃは、別体の電波式アドレス設定器とデータを送受信して電波信号を受信する。アドレス切替部８６は、番号１〜１６などの内からアドレスを選択するツマミ部である。
【００４６】
タイマ部８０ａは、ＣＰＵ８０に備わり、クロックを数えることで一定時間の経過を知るタイマ機能を有し、定期的な信号送受信時や、無線発信器８の動作保持時間の検出時にＣＵＰ８０に対して割り込みを発生させる。
【００４７】
次に、本照明制御システム１に備わる無線受信器７の機能構成に関して図３を参照して説明する。無線受信器７は、ＣＰＵ（演算部）７０ａ，７０ｂ（総称して、７０）、無線送受信部７１ａ，７１ｂ、スイッチ７２、多重伝送信号送受信部７３、電源部７４、ＬＥＤ表示部（発光部）７５、メモリ部７６、及びタイマ部７７を備える。
【００４８】
無線送受信部７１ａ，７１ｂは、専用のＡＳＩＣがアンテナに接続されて構成され、複数の無線発信器８ａ，８ｂとの経路切り替えなどを行うスイッチ７２を介して無線発信器８との間で制御情報の送受信を実現する。無線送受信部７１ａ、７１ｂは、無線発信器８から制御信号を受信すると、ＣＰＵ７０ａ，７０ｂに検知信号を出力する。
【００４９】
伝送通信部たる多重伝送信号送受信部７３は、一対の端子Ｔ１，Ｔ１に接続された信号線Ｌｓを介して、伝送ユニット２との間で多重伝送方式により伝送信号の送受信を行う。また、多重伝送信号送受信部７３は、信号線Ｌｓを介して入力された伝送信号を信号変換してＣＰＵ７０ａ，７０ｂに出力し、ＣＰＵ７０ａ，７０ｂから出力された信号を伝送信号に変換して信号線Ｌｓに送出する。
【００５０】
電源部７４は、信号線Ｌｓを介して入力される伝送信号を全波整流器で全波整流し、さらに定電圧部で定電圧化することによって、内部の電源を得ている。
【００５１】
ＣＰＵ７０ａ，７０ｂでは、多重伝送信号送受信部７３を介して受信した伝送信号に含まれるアドレスデータがメモリ部７６に格納されたアドレスデータに一致すると、伝送信号の制御データを受け取り、制御データに応じた動作をする。また、ＣＰＵ７０は、所定プログラムに基づいて、無線発信器８との間で行う通信情報を処理する。
【００５２】
ＬＥＤ表示部７５は、設定器９を用いた設定値の設定時や、無線受信器７のサーチ機能の実行時などにおいて点滅や発光する。メモリ部７６は、不揮発性メモリであり、設定項目（例えばアドレス）の値、無線発信器８の機器ＩＤ、当該機器ＩＤごとに設定された制御アドレス、当該制御アドレスのＯＮ／ＯＦＦ状態を記憶する。
【００５３】
タイマ部７７は、ＣＰＵ７０に備わり、クロックを数えることで一定時間の経過を知るタイマ機能を有し、定期的な信号送受信時などにおいてＣＵＰ７０ａに対して割り込みを発生させる。
【００５４】
次に、照明制御システム１に用いる設定器９の機能構成に関して図４を参照して説明する。設定器９は、メイン処理マイコン９０、無線信号処理部９１、電源部９１ａ、有線信号処理部９２、電源部９３、レギュレータ９４、電池９５、電圧検出部９６、操作入力部９７、液晶表示部９８、及び赤外線送受信部９９を備える。
【００５５】
無線信号処理部９１は、専用のＡＳＩＣがアンテナに接続されて構成され、経路切り替えなどを行うスイッチを介して、複数の無線受信器７や無線発信器８との間で各種設定値などの送受信を実現する。無線信号処理部９１は、無線受信器７又は無線発信器８から信号を受信すると、無線用ＣＰＵ９０ｂに検知信号を出力する。電源部９１ａは、無線信号処理部９１に所定電圧を給電する。
【００５６】
伝送通信部たる有線信号処理部９２は、一対の端子に接続された有線通信線１１を介して、伝送ユニット２との間で多重伝送方式により伝送信号の送受信を行う。また、有線信号処理部９２は、信号線を介して入力された伝送信号を検知し、信号変換して有線用ＣＰＵ９０ａに出力し、有線用ＣＰＵ９０ａから出力された信号を伝送信号に変換して信号線に送出する。
【００５７】
電源部９３は、信号線を介して入力される伝送信号を全波整流器で全波整流し、さらに定電圧部であるレギュレータ９４において定電圧化し、蓄電部（例えば６Ｖ）である電池９５に蓄電することによって、内部電源を得ている。電圧検出部９６は、電池９５からの所定電圧をメイン処理マイコン９０に給電する。
【００５８】
メイン処理マイコン９０は、有線用ＣＰＵ９０ａ、無線用ＣＰＵ９０ｂ、メモリ９０ｃ、ブザー９０ｄ、及びクロック９０ｅ，９０ｆを備えている。有線用ＣＰＵ９０ａは、有線信号処理部９２を介して受信した伝送信号に含まれるアドレスデータがメモリ９０ｃに格納されたアドレスデータに一致すると、伝送信号の制御データを受け取り、制御データに応じた動作をする。
【００５９】
また、有線用ＣＰＵ９０ａは、有線通信線１１を設定器９に接続している状態で、有線信号処理部９２からの電圧信号が検知された場合、有線通信を所定プログラムに基づいて実行する。
【００６０】
有線用ＣＰＵ９０ａは、図５（ａ）に示す操作入力部９７の１つである電波設定キー４１が押下されると無線通信の開始を検知する。この場合、有線用ＣＰＵ９０ａは、無線側ＣＵＰ９０ｂに対して割り込みを発生させて無線用ＣＰＵ９０ｂを起動し、無線信号処理部９１は無線通信の送受信を行う。
【００６１】
メモリ９０ｃは、ＲＯＭなどの不揮発性メモリであり、設定項目（例えばアドレス）の値、無線発信器８の製造番号、当該製造番号ごとに設定された制御アドレスなどを記憶する。ブザー９０ｄは、有線用ＣＰＵ９０ａからの信号に基づいて確認音や警告音を発音し、クロック９０ｅ，９０ｆは、水晶振動子などにより有線用ＣＰＵ９０ａ，無線用ＣＰＵ９０ｂの動作周波数を発生させる。
【００６２】
操作入力部９７は、図５（ａ）に示すように、設定器９の筐体面に設けられた電波設定キー４１、カーソルキー４２や実行キー４３などの操作キーである。液晶表示部９８は各種設定値や警告を表示する。赤外線送受信部９９は、ＬＥＤやフォトダイオードを用いて赤外線信号を送受信し、比較的近距離の機器との間の通信に用いる。
【００６３】
次に、本実施の形態１に係る設定器９を用いた無線受信器７のサーチ実行時の動作手順に関して説明する。設定器９は、液晶表示部９８に表示された無線受信器７の製造番号から当該無線受信器７をサーチする機能を有する。例えば、設定器９を用いた無線受信器７への登録設定を行うと、設定器９の液晶表示部９８には、図５（ｂ）に示すように、電波到達範囲内に存在する複数の無線受信器７ａ〜７ｃの製造番号が表示される。
【００６４】
次に、ユーザは、カーソルキー４２を用い、一の製造番号（ここでは無線受信器７ａの製造番号）の横に表示された「サーチ（５１）」を選択して実行キー４３を押下することで無線受信器７ａのサーチ機能が実行する。すると、設定器９のメイン処理マイコン９０は、無線受信器７ａの製造番号を含むサーチ用信号を無線受信器７ａ〜７ｃに送信する。
【００６５】
そして、無線受信器７ａは、無線送受信部７１においてサーチ用信号を受信する。ＣＰＵ７０ａでは、当該サーチ用信号に含まれる製造番号が、自身のメモリ部７６に保持している製造番号と一致するため、ＬＥＤ表示部７５を所定間隔で点滅又は所定期間（例えば２０秒）点灯させる。このことで、図５（ｃ）に示すように、当該製造番号の無線受信器７ａのＬＥＤ表示部７５のみを点滅又は点灯させることができる。
【００６６】
なお、無線受信器７に上述の受信器アドレス、受信器番号及び周波数ＣＨなどの設定値が既に設定登録されている場合には、ＬＥＤ表示部７５を所定期間経過後に消灯し、設定登録が未完了の場合には、ＬＥＤ表示部７５の点滅や点灯を継続させることができる。
【００６７】
以上の説明のように、本実施の形態１においては、一の照明制御システム１内に複数の無線受信器７及び無線発信器８が存在する場合において、設定器９の画面に表示された製造番号に該当する無線受信器７を容易に視認できる。このため、作業者は、設定器９を用いた設定値の設定時や、メンテナンス時、レイアウト変更時において、設定器９の画面に表示された製造番号と個々の無線受信器７の製造番号とを直接見比べる必要がなくなり、作業の効率化を図ることができる。
【００６８】
（変形例）
本実施の形態１の変形例について同じく図５を参照して説明する。照明制御システム１において信号線に接続された複数の無線受信器７には、当該無線受信器７間の通信同期のため、もしくは無線発信器８との間の通信同期のために１台のマスター機、及びその他のスレーブ機の関係が、受信器番号などを用いて自動的に構築される。
【００６９】
そして、本変形例においては、設定器９の液晶表示部９８において一の無線受信器７の製造番号が選択されて、上述したサーチ機能が実行されたときに、マスター機かスレーブ機かで無線受信器７のＬＥＤ表示部７５の光らせ方を変える。例えば、マスター機である無線受信器７は１秒間隔での点滅、スレーブ機である無線受信器７は０．５秒間隔での点滅とする。このため、本変形例に係るサーチ機能を実行することで、施工時や同期不良が生じたメンテナンス時において、無線受信器７のマスター／スレーブ関係を容易に視認できるようになる。
【００７０】
（実施の形態２）
以下、本発明に係る照明制御システムの実施の形態２に関して図６を参照して説明する。上記実施の形態１に係る照明制御システム１と同様の構成には同符号を付し、その詳細な説明は省略する。なお、本実施の形態２において、設定器９は、液晶表示部９８に表示された無線発信器８の製造番号から当該無線発信器８をサーチする機能を有する。
【００７１】
最初に、ユーザは、例えば図５（ｂ）に示す画面から一の無線受信器７ａの製造番号を選択する。すると、図６（ａ）に示すように、設定器９の液晶表示部９８に、既に無線受信器７ａに登録されており、当該無線受信器７ａと無線通信を行う複数の無線発信器８ａ〜８ｃの製造番号が表示される。
【００７２】
次に、ユーザは、カーソルキー４２を用い、一の製造番号（ここでは無線発信器８ａの製造番号）の横に表示された「サーチ（５２）」を選択して実行キー４３を押下することで無線発信器８ａのサーチ機能が実行される。すると、設定器９のメイン処理マイコン９０は、無線発信器８ａの製造番号を含む無線発信器サーチ用信号を無線受信器７ａ〜７ｃに送信する。この無線発信器サーチ用信号を受信した無線受信器７ａは、無線発信器８ａの製造番号を有する発光指令信号を無線発信器８ａ〜８ｃに送信する。
【００７３】
無線発信器８ａは、無線送受信部８７において発光指令信号を受信し、そのＣＰＵ８０は、発光指令信号に含まれる製造番号が、自身の製造番号と一致するため、図６（ｂ）に示すように、ＬＥＤ表示部８５を点滅又は点灯させる。なお、図６（ｂ）の点線は無線受信器７及び無線発信器８間の登録関係を示している。
【００７４】
以上のように、本実施の形態２に係る照明制御システム１によれば、一の照明制御システム１内に複数の無線受信器７及び無線発信器８が存在する場合において、設定器９の画面に表示された製造番号に該当する無線発信器８を容易に視認できる。このため、作業者は、設定器９を用いた設定値の設定時や、メンテナンス時、レイアウト変更時において、設定器９の画面に表示された製造番号と個々の無線発信器８の製造番号とを直接見比べる必要がなくなり、作業の効率化を図ることができる。
【００７５】
（変形例）
本実施の形態２の変形例について図７を参照して説明する。本変形例において、設定器９は、一の無線受信器７と登録関係にある全ての無線発信器８のＬＥＤ表示部８５を点灯又は点滅するオールサーチ機能を有している。以下、このことに関して説明する。
【００７６】
最初に、ユーザは、カーソルキー４２を用い、図７（ａ）に示すような液晶表示部９８に表示された「オールサーチ（５３）」の項目を選択して実行キー４３を押下する。すると、設定器９のメイン処理マイコン９０は、図７（ｂ）の点線に示すように無線受信器７ａと既に登録関係にある無線発信器８ａ，８ｂの登録番号を含むオールサーチ用信号を無線受信器７ａ〜７ｃにブロードキャストで送信する。オールサーチ用信号を受信した無線受信器７ａは、登録関係にある無線発信器８ａ，８ｂの製造番号を含んだ全発光指令を無線発信器８ａ，８ｂに送信する。
【００７７】
無線発信器８ａ，８ｂは、無線送受信部８７において全発光指令を受信し、そのＣＰＵ８０は、全発光指令に含まれる製造番号が、自身の製造番号と一致するため、ＬＥＤ表示部８５を所定期間において点滅又は点灯させる。このことで、図７（ｂ）に示すように、無線受信器７ａと登録関係にある全ての無線発信器８ａ，８ｂのＬＥＤ表示部８５を点滅又は点灯させることができる。
【００７８】
従って、本変形例では、オールサーチ機能を用いることで、一の無線受信器７と登録関係にある全ての無線発信器８を容易に視認できる。なお、本発明は、上記各実施の形態の構成に限られず、発明の趣旨を変更しない範囲で種々の変形が可能である。
【符号の説明】
【００７９】
１  照明制御システム
２  伝送ユニット
３  リレー制御用端末器
４  リモコンリレー
５  リモコントランス
６  リモコンスイッチ
７  無線受信器
８  無線発信器
９  設定器
１０  照明器具
４１  電波設定キー（操作入力部）
４２  カーソルキー（操作入力部）
４３  実行キー（操作入力部）
７０ａ，７０ｂ  ＣＰＵ（演算部）
７１ａ，７１ｂ  無線送受信部
７５  ＬＥＤ表示部（発光部）
８０  ＣＰＵ（第二演算部）
８５  ＬＥＤ表示部（第二発光部）
８７  無線送受信部（送受信部）
９０  メイン処理マイコン（メイン処理部）
９１  無線信号処理部
９７  操作入力部
９８  液晶表示部（表示部）
【図１】
2014089924.tif 000003
【図２】
2014089924.tif 000004
【図３】
2014089924.tif 000005
【図４】
2014089924.tif 000006
【図５】
2014089924.tif 000007
【図６】
2014089924.tif 000008
【図７】
2014089924.tif 000009
【図８】
2014089924.tif 000010